(57)【要約】【課題】低コスト化を図る。【解決手段】シールドコネクタ１０は、電線Ｗの端末に接続される端子金具１１と、端子金具１１が収容される端子収容室１５を有するコネクタハウジング１２と、コネクタハウジング１２に外装されるシールドブラケット１３と、コネクタハウジング１２に一体に設けられ、端子収容室１５から導出された電線Ｗとシールドブラケット１３との間に介在する形で配されて電線Ｗを保護する電線保護部２３を備える。【選択図】図３
2017220330.tif 000002
【特許請求の範囲】
【請求項１】
電線の端末に接続される端子金具と、
前記端子金具が収容される端子収容室を有するコネクタハウジングと、
前記コネクタハウジングに外装されるシールド部材と、
前記コネクタハウジングに一体に設けられ、前記端子収容室から導出された前記電線と前記シールド部材との間に介在する形で配されて前記電線を保護する電線保護部と、を備えるコネクタ。
【請求項２】
前記端子金具には、相対的に径が小さい小径電線に接続される小径電線側端子金具と、相対的に径が大きい大径電線に接続される大径電線側端子金具と、が含まれており、
前記電線保護部は、前記端子収容室から導出された前記小径電線と前記シールド部材との間に介在する形で配される請求項１記載のコネクタ。
【請求項３】
前記コネクタハウジングは、前記小径電線側端子金具が収容される前記端子収容室を有する小径電線側端子収容部と、前記大径電線側端子金具が収容される前記端子収容室を有していて前記小径電線側端子収容部よりも前記小径電線の導出側に突出する大径電線側端子収容部と、を有しており、
前記電線保護部は、前記大径電線側端子収容部のうち少なくとも前記小径電線の導出側の端部に配されている請求項２記載のコネクタ。
【請求項４】
前記電線保護部は、前記小径電線側端子収容部に対して前記小径電線の導出側に間隔を空けた位置に配されて前記小径電線を取り囲む形で設けられている請求項３記載のコネクタ。
【請求項５】
前記コネクタハウジングは、前記小径電線側端子金具が収容される前記端子収容室を有する小径電線側端子収容部と、前記大径電線側端子金具が収容される前記端子収容室を有していて前記小径電線側端子収容部よりも前記小径電線の導出側に突出する大径電線側端子収容部と、を有しており、
前記電線保護部は、前記大径電線側端子収容部に対して間に前記小径電線を通す小径電線挿通スペースを保有する形で対向状に配されている請求項２から請求項４のいずれか１項に記載のコネクタ。
【請求項６】
前記電線保護部は、前記小径電線側端子金具が収容される前記端子収容室に対して前記小径電線挿通スペースが正面視非重畳となるよう配されている請求項５記載のコネクタ。
【請求項７】
前記電線保護部は、前記小径電線の導出側が自由端となるよう撓み変形可能な片持ち状をなしている請求項６記載のコネクタ。
【請求項８】
前記シールド部材は、前記電線保護部の撓み空間を閉塞する形で配される撓み規制部を有している請求項７記載のコネクタ。
【請求項９】
前記電線保護部は、前記小径電線挿通スペースが前記大径電線側端子収容部に対して、前記小径電線側端子収容部と前記大径電線側端子収容部との並び方向と直交する方向に沿って並ぶよう配されている請求項５から請求項８のいずれか１項に記載のコネクタ。
【請求項１０】
前記大径電線側端子収容部には、前記シールド部材を保持するためのロック部と、前記ロック部の側方位置から立ち上がって前記ロック部を保護するロック保護部と、が設けられており、
前記電線保護部は、前記ロック保護部との間で前記小径電線挿通スペースを挟むよう配されている請求項５から請求項９のいずれか１項に記載のコネクタ。
【発明の詳細な説明】
【技術分野】
【０００１】
本明細書に開示される技術は、コネクタに関する。
【背景技術】
【０００２】
従来、電線の端末に設けられ、機器のケースに装着されるコネクタとして、下記特許文献１に記載のものが知られている。このコネクタは、電線が後方に引き出される合成樹脂製のハウジングと、ハウジングの電線引出部を覆って電線を後端開口から後方に引き出した状態でケースに固定される金属製のシールドブラケットと、ハウジングに設けられたキャビティ内に収容され、キャビティの内周面と電線との間をシールするゴム栓と、電線を支持した状態でシールドブラケットの筒状部に配されるようにハウジングの電線引出部に装着され、ゴム栓を抜け止めする合成樹脂製のバックリテーナと、バックリテーナにおける電線から離れた位置に一体に設けられ、シールドブラケットの後端開口から後方に突出する電線保護部を備える。
【先行技術文献】
【特許文献】
【０００３】
【特許文献１】特開２０１５−１０３４６０号公報
【発明の概要】
【発明が解決しようとする課題】
【０００４】
上記した特許文献１に記載されたコネクタでは、電線保護部が一体に設けられたバックリテーナがハウジングとは別部品として備えられている。このため、部品点数が多くなるとともに組付工数も多くなっており、製造コストが高くなる問題が生じていた。
【０００５】
本明細書に開示される技術は上記のような事情に基づいて完成されたものであって、低コスト化を図ることを目的とする。
【課題を解決するための手段】
【０００６】
本明細書に開示される技術のコネクタは、電線の端末に接続される端子金具と、前記端子金具が収容される端子収容室を有するコネクタハウジングと、前記コネクタハウジングに外装されるシールド部材と、前記コネクタハウジングに一体に設けられ、前記端子収容室から導出された前記電線と前記シールド部材との間に介在する形で配されて前記電線を保護する電線保護部と、を備える。
【０００７】
このようにすれば、電線の端末に接続される端子金具は、コネクタハウジングの端子収容室内に収容されている。シールド部材は、コネクタハウジングに外装されることで、端子収容室内の端子金具のシールドが図られる。そして、電線保護部は、端子収容室から導出された電線とシールド部材との間に介在する形で配されることで、端子収容室から導出された電線がシールド部材に干渉し難いものとなり、シールド部材から電線を保護することができる。その上で、電線保護部は、コネクタハウジングに一体に設けられるので、部品点数が削減されるとともに組付工数も削減される。
【０００８】
本明細書に開示される技術の実施態様として、次の構成が好ましい。
（１）前記端子金具には、相対的に径が小さい小径電線に接続される小径電線側端子金具と、相対的に径が大きい大径電線に接続される大径電線側端子金具と、が含まれており、前記電線保護部は、前記端子収容室から導出された前記小径電線と前記シールド部材との間に介在する形で配される。小径電線は、大径電線に比べると、シールド部材に干渉したときに生じる損傷によって断線に至り易い傾向にある。これに対し、上記のように端子収容室から導出された小径電線とシールド部材との間に介在する形で電線保護部を配することで、断線が懸念される小径電線の保護が図られる。これにより、当該コネクタの機能を安定的に発揮させることができる。
【０００９】
（２）前記コネクタハウジングは、前記小径電線側端子金具が収容される前記端子収容室を有する小径電線側端子収容部と、前記大径電線側端子金具が収容される前記端子収容室を有していて前記小径電線側端子収容部よりも前記小径電線の導出側に突出する大径電線側端子収容部と、を有しており、前記電線保護部は、前記大径電線側端子収容部のうち少なくとも前記小径電線の導出側の端部に配されている。このようにすれば、小径電線側端子収容部の端子収容室から導出された小径電線は、小径電線側端子収容部よりも小径電線の導出側に突出する大径電線側端子収容部のうち少なくとも小径電線の導出側の端部に配される電線保護部によって保護が図られるので、例えば導出側から引っ張られるなどした小径電線がシールド部材に干渉するのを電線保護部によって効果的に防ぐことができる。
【００１０】
（３）前記電線保護部は、前記小径電線側端子収容部に対して前記小径電線の導出側に間隔を空けた位置に配されて前記小径電線を取り囲む形で設けられている。このようにすれば、小径電線側端子収容部と電線保護部との間に空けられたスペースを利用して小径電線側端子金具を小径電線側端子収容部の端子収容室に収容する作業を行うことができるので、作業性に優れる。しかも、電線保護部が小径電線を取り囲む形で設けられているので、電線保護部によって小径電線がシールド部材に向けて放射方向のいずれに変位するのも規制することができる。
【００１１】
（４）前記コネクタハウジングは、前記小径電線側端子金具が収容される前記端子収容室を有する小径電線側端子収容部と、前記大径電線側端子金具が収容される前記端子収容室を有していて前記小径電線側端子収容部よりも前記小径電線の導出側に突出する大径電線側端子収容部と、を有しており、前記電線保護部は、前記大径電線側端子収容部に対して間に前記小径電線を通す小径電線挿通スペースを保有する形で対向状に配されている。このようにすれば、小径電線側端子収容部の端子収容室から導出された小径電線は、小径電線側端子収容部よりも小径電線の導出側に突出する大径電線側端子収容部と電線保護部との間に保有される小径電線挿通スペースに通される。従って、小径電線は、大径電線側端子収容部と電線保護部との間に挟み込まれる形で保持される。これにより、小径電線の変位が電線保護部によって規制され、もってシールド部材に対する小径電線の干渉が好適に抑制される。
【００１２】
（５）前記電線保護部は、前記小径電線側端子金具が収容される前記端子収容室に対して前記小径電線挿通スペースが正面視非重畳となるよう配されている。このようにすれば、小径電線側端子収容部の端子収容室に収容される小径電線側端子金具に接続された小径電線は、小径電線側端子金具が収容される端子収容室に対して正面視非重畳となる小径電線挿通スペースに通されることで、大径電線側端子収容部との間で電線保護部により保持される。従って、小径電線は、小径電線側端子収容部の端子収容室から導出されてから電線保護部により保持されるまでの間に屈曲されることになるので、導出側から引っ張られた場合に引っ張り力が小径電線側端子金具に直接影響し難くなる。しかも、小径電線側端子収容部の端子収容室に小径電線側端子金具を収容する際には、電線保護部が小径電線側端子金具の収容作業を妨げ難い配置となっているので、作業性に優れる。
【００１３】
（６）前記電線保護部は、前記小径電線の導出側が自由端となるよう撓み変形可能な片持ち状をなしている。このようにすれば、小径電線を屈曲させつつ電線保護部と大径電線側端子収容部との間に挟み込む際に、片持ち状をなす電線保護部は、小径電線の導出側の自由端側ほど大きく変位するよう撓み変形されるので、小径電線を電線保護部に保持させる作業を容易に行うことができる。
【００１４】
（７）前記シールド部材は、前記電線保護部の撓み空間を閉塞する形で配される撓み規制部を有している。このようにすれば、シールド部材の撓み規制部によって電線保護部の撓み変形を規制することができる。これにより、電線保護部によって保持された小径電線の不用意な変位が防がれるので、小径電線を電線保護部に保持させる作業の容易性を担保しつつも、シールド部材に対する小径電線の干渉を生じ難くすることができる。
【００１５】
（８）前記電線保護部は、前記小径電線挿通スペースが前記大径電線側端子収容部に対して、前記小径電線側端子収容部と前記大径電線側端子収容部との並び方向と直交する方向に沿って並ぶよう配されている。このようにすれば、小径電線挿通スペースに通される小径電線が大径電線側端子収容部に対して小径電線側端子収容部と大径電線側端子収容部との並び方向と直交する方向に沿って並ぶので、シールド部材のうち大径電線側端子収容部に外装される部分を、小径電線側端子収容部と大径電線側端子収容部との並び方向について小型化する上で好適となる。
【００１６】
（９）前記大径電線側端子収容部には、前記シールド部材を保持するためのロック部と、前記ロック部の側方位置から立ち上がって前記ロック部を保護するロック保護部と、が設けられており、前記電線保護部は、前記ロック保護部との間で前記小径電線挿通スペースを挟むよう配されている。このようにすれば、シールド部材は、ロック部によってコネクタハウジングに外装された状態に保持される。大径電線側端子収容部においてロック部の側方位置から立ち上がってロック部を保護するロック保護部と電線保護部との間に挟まれる小径電線挿通スペースに小径電線が通されるので、小径電線の導出をロック保護部によって案内することができるとともに、小径電線がロック部に干渉するのをロック保護部によって防ぐことができる。
【発明の効果】
【００１７】
本明細書に開示される技術によれば、低コスト化を図ることができる。
【図面の簡単な説明】
【００１８】
【図１】実施形態１に係るコネクタの斜視図
【図２】コネクタの正面図
【図３】図２のＡ−Ａ線断面図
【図４】シールドブラケットを取り外したコネクタハウジングの外形を示す斜視図
【図５】シールドブラケットを取り外したコネクタハウジングの正面図
【図６】シールドブラケットを取り外したコネクタハウジングの側面図
【図７】シールドブラケットを取り外したコネクタハウジングの平面図
【図８】シールドブラケットを取り外したコネクタハウジングの底面図
【図９】実施形態２に係るコネクタの斜視図
【図１０】シールドブラケットを取り外したコネクタハウジングの正面図
【図１１】シールドブラケットを取り付けたコネクタハウジングにおける図１０のＢ−Ｂ線断面図
【図１２】シールドブラケットを取り外したコネクタハウジングの斜視図
【図１３】シールドブラケットを取り外したコネクタハウジングにおいて小型側端子金具を挿入する途中の状態を示す斜視図
【発明を実施するための形態】
【００１９】
＜実施形態１＞
実施形態１を図１から図８によって説明する。本実施形態では、シールドコネクタ（コネクタ）１０について例示する。なお、上下方向及び前後方向の記載に関しては、図３及び図６に示す上下方向及び前後方向を基準とし、左右方向の記載に関しては、図２及び図５に示す左右方向を基準とする。
【００２０】
このシールドコネクタ１０は、機器に設けられた開口部に通されることで機器の内外にわたる形で設置され、機器内の相手コネクタ（機器共々図示せず）と嵌合接続されるものである。シールドコネクタ１０は、図１に示すように、電線Ｗの端末に接続される端子金具１１（図３を参照）と、端子金具１１が収容される端子収容室１５を有する合成樹脂製のコネクタハウジング１２と、コネクタハウジング１２に外装されるとともに機器の壁面に対して取り付けられる金属製のシールドブラケット（シールド部材）１３と、編組線ＢＷをシールドブラケット１３にかしめ固定する金属製のかしめリング１４と、を備える。なお、前後方向の「前後」に関しては、コネクタハウジング１２からの電線Ｗの引き出し側が後側であり、その反対側（コネクタハウジング１２に対する端子金具１１の挿入側）が前側である。
【００２１】
本実施形態では、電線Ｗに、相対的に径が小さい（細い）小径電線ＷＡと、相対的に径が大きい（太い）大径電線ＷＢと、の２種類が含まれるとともに、端子金具１１に、小径電線ＷＡに接続される小径電線側端子金具１１Ａと、大径電線ＷＢに接続される大径電線側端子金具１１Ｂと、の２種類が含まれている。従って、以下では電線Ｗ及び端子金具１１を区別する場合には、小径のもの（小径電線及び小径電線側端子金具）の符号に添え字「Ａ」を、大径のもの（大径電線及び大径電線側端子金具）の符号に添え字「Ｂ」を付し、区別せずに総称する場合には、符号に添え字を付さないものとする。なお、小径電線側端子金具１１Ａに関しては、図６にて破線により図示されている。
【００２２】
端子金具１１は、金属板材を打ち抜き加工および曲げ加工して製造される。端子金具１１は、図３に示すように、雄型とされており、端子本体部１１ａと、端子本体部１１ａから前方に向けて突出するタブ部１１ｂと、電線Ｗの端末に接続される電線接続部１１ｃと、から構成される。端子本体部１１ａには、コネクタハウジング１２に設けられたランス１６が係止される。タブ部１１ｂには、相手コネクタに備えられる雌型の相手端子（図示せず）が導通接触可能とされる。電線接続部１１ｃは、電線Ｗの端末において露出した芯線と、被覆の端部に装着されたゴム栓１７と、にそれぞれ圧着される。小径電線側端子金具１１Ａは、前後方向、上下方向及び左右方向のいずれに関しても相対的に小型であり、例えば信号伝送用とされる（図６）。大径電線側端子金具１１Ｂは、前後方向、上下方向及び左右方向のいずれに関しても相対的に大型であり、例えば電力伝送用とされる。
【００２３】
シールドブラケット１３は、図１から図３に示すように、コネクタハウジング１２をほぼ全周にわたって取り囲むよう、コネクタハウジング１２の外形に倣って形成されている。シールドブラケット１３は、機器の壁面に取り付けられる機器取付部１３ａと、筒状をなす編組線ＢＷが取り付けられる編組線取付部１３ｂと、を前後に連ねてなる。編組線取付部１３ｂは、少なくとも上下方向及び左右方向について相対的に大型とされる機器取付部１３ａから後側に向けて突出する筒状をなしている。
【００２４】
かしめリング１４は、図１及び図３に示すように、シールドブラケット１３の編組線取付部１３ｂに対して外装されるものであり、編組線取付部１３ｂよりも一回り大きな筒状をなしている。かしめリング１４は、編組線取付部１３ｂとの間で編組線ＢＷを全周にわたって挟み込む形でかしめ付けられることで、編組線ＢＷの機械的な保持と、シールドブラケット１３に対する編組線ＢＷの電気的な接続と、を図るものとされる。
【００２５】
次に、コネクタハウジング１２について詳しく説明する。コネクタハウジング１２は、図２に示すように、前後方向について殆どの部分がシールドブラケット１３によってほぼ全周にわたって取り囲まれている。コネクタハウジング１２は、前端部が機器の開口部内に挿入されるのに対し、残りの部分が機器の外部に突き出す形で配される。また、コネクタハウジング１２の前端部の外周面には、図４に示すように、機器の開口部の内面に密着することで開口部のシールを図ることが可能なゴムリング２２が嵌着されている。コネクタハウジング１２には、図３に示すように、端子金具１１が後方から収容される端子収容室１５が前後に開口する形で設けられている。端子収容室１５における前部の内面には、収容された端子金具１１の端子本体部１１ａに係止することでその抜け止めを図るランス１６が設けられている。また、端子金具１１の電線接続部１１ｃによって圧着されたゴム栓１７は、端子収容室１５における後部の内周面に密着することで、端子収容室１５内のシールが図られる。
【００２６】
コネクタハウジング１２は、図４及び図５に示すように、小径電線側端子金具１１Ａが収容される相対的に小型の端子収容室１５を有する小径電線側端子収容部１８と、大径電線側端子金具１１Ｂが収容される相対的に大型の端子収容室１５を有する大径電線側端子収容部１９と、を有しており、これらを左右方向に沿って並ぶ形で連ねてなる。小径電線側端子収容部１８は、小径電線側端子金具１１Ａの長さ寸法に適合するよう前後方向について相対的に短くされているのに対し、大径電線側端子収容部１９は、大径電線側端子金具１１Ｂの長さ寸法の適合するよう前後方向について相対的に長くされており、具体的には例えば小径電線側端子収容部１８の前後長さの２倍強程度とされる。一方、小径電線側端子収容部１８及び大径電線側端子収容部１９は、互いの前端位置が揃えられている。従って、大径電線側端子収容部１９は、小径電線側端子収容部１８よりも後側（電線Ｗの導出側）に突出する形で配されている。つまり、このコネクタハウジング１２では、小径電線側端子収容部１８の後端面（小径電線ＷＡの導出基端位置）と、大径電線側端子収容部１９の後端面（大径電線ＷＢの導出基端位置）と、が前後に段差をなして配されている。このような構成のコネクタハウジング１２は、図１に示すように、大径電線側端子収容部１９のうち小径電線側端子収容部１８よりも後側に突出する後側部分がシールドブラケット１３の編組線取付部１３ｂにより覆われるのに対し、残りの部分（大径電線側端子収容部１９の前側部分及び小径電線側端子収容部１８）がシールドブラケット１３の機器取付部１３ａにより覆われている。なお、図５から図８では、大径電線ＷＢ、大径電線側端子金具１１Ｂ及びゴムリング２２の図示を省略している。
【００２７】
小径電線側端子収容部１８には、図４及び図５に示すように、２つの端子収容室１５が上下方向に沿って並ぶ形で配されている。つまり、小径電線側端子収容部１８における２つの端子収容室１５の並び方向は、小径電線側端子収容部１８と大径電線側端子収容部１９との並び方向（左右方向）と直交する関係にある。大径電線側端子収容部１９には、２つの端子収容室１５が左右方向に沿って並ぶ形で配されている。つまり、大径電線側端子収容部１９における２つの端子収容室１５の並び方向は、小径電線側端子収容部１８と大径電線側端子収容部１９との並び方向と一致している。従って、コネクタハウジング１２は、小径電線側端子金具１１Ａが収容される１つの端子収容室１５と、大径電線側端子金具１１Ｂが収容される２つの端子収容室１５と、が左右方向に沿って並ぶ配置とされる。また、小径電線側端子収容部１８において上下に並ぶ２つの端子収容室１５間の中央位置は、上下方向について大径電線側端子収容部１９における端子収容室１５の中央位置とほぼ一致している。言い換えると、小径電線側端子収容部１８において上下に並ぶ２つの端子収容室１５は、大径電線側端子収容部１９の中心を通る左右方向に沿う対称軸に関して略線対称の配置とされる。
【００２８】
大径電線側端子収容部１９には、図４に示すように、シールドブラケット１３を保持するためのロックアーム（ロック部）２０と、ロックアーム２０の側方位置から立ち上がってロックアーム２０を保護するロック保護部２１と、が設けられている。ロックアーム２０は、図５，図７及び図８に示すように、大径電線側端子収容部１９の上下両面にそれぞれ一対設けられている。ロックアーム２０は、前後方向についての中間部分が大径電線側端子収容部１９の外面に連なることでシーソー状をなしており、上下に揺動変位可能とされる。ロックアーム２０の後端部の外面には、シールドブラケット１３のうち大径電線側端子収容部１９の後側部分を覆う編組線取付部１３ｂの後端部に形成された切欠部１３ｃ（図１を参照）に通されてその縁部に係止される係止突部２０ａが設けられている。ロック保護部２１は、大径電線側端子収容部１９の上下両面においてロックアーム２０を左右両側から挟み込む形で一対ずつ設けられている。ロック保護部２１は、前後方向に沿って延在する形で大径電線側端子収容部１９の外面から立ち上がっており、大径電線側端子収容部１９からの突出高さがロックアーム２０の本体部分（係止突部２０ａを除く部分）よりも高くなるよう形成されている。
【００２９】
さて、本実施形態に係るコネクタハウジング１２には、図１から図３に示すように、電線Ｗのうちの小径電線ＷＡを保護するための電線保護部２３が一体に設けられている。この電線保護部２３は、小径電線側端子収容部１８の端子収容室１５から導出された小径電線ＷＡとシールドブラケット１３との間に介在する形で配されており、それにより小径電線ＷＡがシールドブラケット１３に近づくよう外向きに変位するのを規制することができ、もって小径電線ＷＡがシールドブラケット１３の後縁部に干渉して損傷を受ける事態を防ぐものとされる。その上で、電線保護部２３は、コネクタハウジング１２に一体に設けられるので、部品点数が削減されるとともに組付工数も削減され、もってシールドコネクタ１０の製造コストを低下させることができるのである。特に、電線保護部２３は、大径電線ＷＢに比べると、シールドブラケット１３に干渉したときに生じる損傷によって断線に至り易い傾向にある小径電線ＷＡの保護を図るものであることから、小径電線ＷＡの断線に伴う信号伝送機能の停止といった事態が回避され、もってシールドコネクタ１０の機能を安定的に発揮させることができる。
【００３０】
電線保護部２３は、図４に示すように、大径電線側端子収容部１９の外面から立ち上がる形で設けられており、大径電線側端子収容部１９の外面に対して小径電線ＷＡを通す小径電線挿通スペースＷＩＳを保有する形で対向状に配されている。これにより、電線保護部２３は、大径電線側端子収容部１９との間で小径電線ＷＡを挟んで保持することができるので、小径電線ＷＡの外向きの変位を規制することができ、もってシールドブラケット１３に対する小径電線ＷＡの干渉が好適に抑制される。電線保護部２３は、２本の小径電線ＷＡに応じて２つが大径電線側端子収容部１９の外面に設けられている。
【００３１】
電線保護部２３は、図５に示すように、大径電線側端子収容部１９のうち、小径電線側端子収容部１８よりも後側に突出する部分に設けられている。そして、電線保護部２３は、大径電線側端子収容部１９の外面との間に有される小径電線挿通スペースＷＩＳが小径電線側端子収容部１８の端子収容室１５に対して正面視非重畳となるよう、つまり左右方向や上下方向に位置ずれするよう配されている。具体的には、２つの電線保護部２３は、小径電線挿通スペースＷＩＳが小径電線側端子収容部１８の端子収容室１５に対して斜め左上側または斜め左下側に位置するよう配されている。このような構成によれば、小径電線側端子収容部１８の端子収容室１５から導出された小径電線ＷＡを、大径電線側端子収容部１９と電線保護部２３との間の小径電線挿通スペースＷＩＳに通すには、小径電線ＷＡを屈曲させる必要が生じる。詳しくは、小径電線ＷＡは、図６から図８に示すように、小径電線側端子収容部１８の端子収容室１５から導出されてから電線保護部２３により保持されるまでの間の部分がクランク状に屈曲された屈曲部ＷＡｃとされている。これにより、小径電線ＷＡは、後側から引っ張られた場合に作用する引っ張り力が電線保護部２３によって吸収され易くなり、小径電線側端子収容部１８内の小径電線側端子金具１１Ａに影響し難くなる。しかも、小径電線側端子収容部１８の端子収容室１５に小径電線側端子金具１１Ａを収容する作業を行う際には、小径電線側端子収容部１８の後方のスペースを利用して収容作業を行うことができ、同スペースに電線保護部２３が存在しないことから、電線保護部２３が収容作業の妨げとなり難くなっているので、作業性に優れる。
【００３２】
より詳細には、電線保護部２３は、図５に示すように、小径電線挿通スペースＷＩＳが大径電線側端子収容部１９に対して、左右方向（小径電線側端子収容部１８と大径電線側端子収容部１９との並び方向）と直交する方向である上下方向に沿って直線状に並ぶよう配されている。具体的には、２つの電線保護部２３は、２つの小径電線挿通スペースＷＩＳが、大径電線側端子収容部１９に備えられる２つの端子収容室１５のうち右側（小径電線側端子収容部１８側）の端子収容室１５を、上側と下側とから挟み込むよう配置されている。つまり、２つの電線保護部２３及び２つの小径電線挿通スペースＷＩＳは、大径電線側端子収容部１９における右側の端子収容室１５を中心として上下方向に沿って直線状に対称配置されている。このような構成によれば、仮に小径電線挿通スペースが大径電線側端子収容部１９に対して左右方向に沿って並ぶよう電線保護部が配された場合に比べると、シールドブラケット１３のうち、大径電線側端子収容部１９の後側部分に対して外装される編組線取付部１３ｂが左右方向について小型化される。
【００３３】
電線保護部２３は、図４に示すように、後側が自由端となるよう撓み変形可能な片持ち状をなしている。詳しくは、電線保護部２３は、大径電線側端子収容部１９の外面（上面または下面）から立ち上がる基端部２４と、基端部２４から前後方向に沿って後側に向けて直線状に延在するアーム部２５と、アーム部２５の自由端から左右方向に沿って左側（ロック保護部２１側）に突出する自由端突部２６と、からなる。電線保護部２３は、基端部２４を支点として上下方向、左右方向、またはそれらに対する斜め方向に沿って外側の撓み空間ＦＳ（図５）に退避する形で撓み変形されるようになっており、撓み変形に伴って自由端部（自由端突部２６）が最も大きく変位するものとされる。このような構成によれば、小径電線ＷＡを屈曲させつつ電線保護部２３と大径電線側端子収容部１９との間に挟み込む際に、片持ち状をなす電線保護部２３は、後側の自由端側ほど大きく変位するよう撓み変形されるので、小径電線ＷＡを屈曲させつつ電線保護部２３に保持させる作業を容易に行うことができる。
【００３４】
基端部２４は、図６に示すように、大径電線側端子収容部１９の後側部分のうち小径電線側端子収容部１８から所定の間隔を空けた位置から上側または下側に向けて突出している。アーム部２５は、図７及び図８に示すように、ロック保護部２１に並行する形で延在しており、隣接するロック保護部２１との間に小径電線ＷＡを通す小径電線挿通スペースＷＩＳを挟むよう配されている。これにより、左右方向についてロック保護部２１とアーム部２５との間に挟まれる小径電線挿通スペースＷＩＳに小径電線ＷＡが通されるので、小径電線ＷＡの導出をロック保護部２１及びアーム部２５によって案内することができるとともに、小径電線ＷＡがロックアーム２０に干渉するのをロック保護部２１によって防ぐことができる。また、小径電線ＷＡは、アーム部２５によって左右方向に沿う右向きの変位が規制され、ロック保護部２１によって左向きの変位が規制される。
【００３５】
自由端突部２６は、図３及び図５に示すように、大径電線側端子収容部１９に対して小径電線挿通スペースＷＩＳを挟んで上側または下側に対向状をなす形で配されている。従って、自由端突部２６は、小径電線挿通スペースＷＩＳに通される小径電線ＷＡを大径電線側端子収容部１９との間で上下方向について外側から保持することができ、それにより小径電線ＷＡの上下方向に沿う外向き（上向きまたは下向き）の変位を規制することができる。しかも、この自由端突部２６は、大径電線側端子収容部１９のうちの後側の端部に位置する形で配されているので、例えば小径電線ＷＡが後側から引っ張られたとき、小径電線ＷＡがシールドブラケット１３（編組線取付部１３ｂ）の後縁部に干渉する事態を効果的に防ぐことができる。なお、電線保護部２３に隣接するロック保護部２１は、自由端突部２６との干渉を避けるため、後端部が切り欠かれている。
【００３６】
次に、上記のように片持ち状をなす電線保護部２３に対するシールドブラケット１３の位置関係について説明する。シールドブラケット１３のうち、大径電線側端子収容部１９に外装される編組線取付部１３ｂは、図２及び図３に示すように、電線保護部２３の撓み空間ＦＳを閉塞する形で配される部分を有しており、この部分が撓み規制部２７とされる。このような構成によれば、コネクタハウジング１２にシールドブラケット１３を取り付けた状態では、撓み規制部２７が電線保護部２３の撓み空間ＦＳを閉塞することで、電線保護部２３によって保持された小径電線ＷＡの不用意な変位が防がれ、もってシールドブラケット１３に対する小径電線ＷＡの干渉を生じ難くすることができる。一方、シールドコネクタ１０の組み付けに際して小径電線側端子収容部１８の端子収容室１５内に小径電線側端子金具１１Ａを挿入した後に、小径電線ＷＡを電線保護部２３に保持させる際には、コネクタハウジング１２にはシールドブラケット１３が未だ取り付けられていないから、図５に示すように、電線保護部２３を撓み空間ＦＳ内に撓み変形させることができ、それにより小径電線ＷＡを電線保護部２３に保持させる作業の容易性が担保される。
【００３７】
以上説明したように本実施形態のシールドコネクタ（コネクタ）１０は、電線Ｗの端末に接続される端子金具１１と、端子金具１１が収容される端子収容室１５を有するコネクタハウジング１２と、コネクタハウジング１２に外装されるシールドブラケット（シールド部材）１３と、コネクタハウジング１２に一体に設けられ、端子収容室１５から導出された電線Ｗとシールドブラケット１３との間に介在する形で配されて電線Ｗを保護する電線保護部２３を備える。
【００３８】
このようにすれば、電線Ｗの端末に接続される端子金具１１は、コネクタハウジング１２の端子収容室１５内に収容されている。シールドブラケット１３は、コネクタハウジング１２に外装されることで、端子収容室１５内の端子金具１１のシールドが図られる。そして、電線保護部２３は、端子収容室１５から導出された電線Ｗとシールドブラケット１３との間に介在する形で配されることで、端子収容室１５から導出された電線Ｗがシールドブラケット１３に干渉し難いものとなり、シールドブラケット１３から電線Ｗを保護することができる。その上で、電線保護部２３は、コネクタハウジング１２に一体に設けられるので、部品点数が削減されるとともに組付工数も削減される。
【００３９】
また、端子金具１１には、相対的に径が小さい小径電線ＷＡに接続される小径電線側端子金具１１Ａと、相対的に径が大きい大径電線ＷＢに接続される大径電線側端子金具１１Ｂと、が含まれており、電線保護部２３は、端子収容室１５から導出された小径電線ＷＡとシールドブラケット１３との間に介在する形で配される。小径電線ＷＡは、大径電線ＷＢに比べると、シールドブラケット１３に干渉したときに生じる損傷によって断線に至り易い傾向にある。これに対し、上記のように端子収容室１５から導出された小径電線ＷＡとシールドブラケット１３との間に介在する形で電線保護部２３を配することで、断線が懸念される小径電線ＷＡの保護が図られる。これにより、当該シールドコネクタ１０の機能を安定的に発揮させることができる。
【００４０】
また、コネクタハウジング１２は、小径電線側端子金具１１Ａが収容される端子収容室１５を有する小径電線側端子収容部１８と、大径電線側端子金具１１Ｂが収容される端子収容室１５を有していて小径電線側端子収容部１８よりも小径電線ＷＡの導出側に突出する大径電線側端子収容部１９と、を有しており、電線保護部２３は、大径電線側端子収容部１９のうち少なくとも小径電線ＷＡの導出側の端部に配されている。このようにすれば、小径電線側端子収容部１８の端子収容室１５から導出された小径電線ＷＡは、小径電線側端子収容部１８よりも小径電線ＷＡの導出側に突出する大径電線側端子収容部１９のうち少なくとも小径電線ＷＡの導出側の端部に配される電線保護部２３によって保護が図られるので、例えば導出側から引っ張られるなどした小径電線ＷＡがシールドブラケット１３に干渉するのを電線保護部２３によって効果的に防ぐことができる。
【００４１】
また、コネクタハウジング１２は、小径電線側端子金具１１Ａが収容される端子収容室１５を有する小径電線側端子収容部１８と、大径電線側端子金具１１Ｂが収容される端子収容室１５を有していて小径電線側端子収容部１８よりも小径電線ＷＡの導出側に突出する大径電線側端子収容部１９と、を有しており、電線保護部２３は、大径電線側端子収容部１９に対して間に小径電線ＷＡを通す小径電線挿通スペースＷＩＳを保有する形で対向状に配されている。このようにすれば、小径電線側端子収容部１８の端子収容室１５から導出された小径電線ＷＡは、小径電線側端子収容部１８よりも小径電線ＷＡの導出側に突出する大径電線側端子収容部１９と電線保護部２３との間に保有される小径電線挿通スペースＷＩＳに通される。従って、小径電線ＷＡは、大径電線側端子収容部１９と電線保護部２３との間に挟み込まれる形で保持される。これにより、小径電線ＷＡの変位が電線保護部２３によって規制され、もってシールドブラケット１３に対する小径電線ＷＡの干渉が好適に抑制される。
【００４２】
また、電線保護部２３は、小径電線側端子金具１１Ａが収容される端子収容室１５に対して小径電線挿通スペースＷＩＳが正面視非重畳となるよう配されている。このようにすれば、小径電線側端子収容部１８の端子収容室１５に収容される小径電線側端子金具１１Ａに接続された小径電線ＷＡは、小径電線側端子金具１１Ａが収容される端子収容室１５に対して正面視非重畳となる小径電線挿通スペースＷＩＳに通されることで、大径電線側端子収容部１９との間で電線保護部２３により保持される。従って、小径電線ＷＡは、小径電線側端子収容部１８の端子収容室１５から導出されてから電線保護部２３により保持されるまでの間に屈曲されることになるので、導出側から引っ張られた場合に引っ張り力が小径電線側端子金具１１Ａに直接影響し難くなる。しかも、小径電線側端子収容部１８の端子収容室１５に小径電線側端子金具１１Ａを収容する際には、電線保護部２３が小径電線側端子金具１１Ａの収容作業を妨げ難い配置となっているので、作業性に優れる。
【００４３】
また、電線保護部２３は、小径電線ＷＡの導出側が自由端となるよう撓み変形可能な片持ち状をなしている。このようにすれば、小径電線ＷＡを屈曲させつつ電線保護部２３と大径電線側端子収容部１９との間に挟み込む際に、片持ち状をなす電線保護部２３は、小径電線ＷＡの導出側の自由端側ほど大きく変位するよう撓み変形されるので、小径電線ＷＡを電線保護部２３に保持させる作業を容易に行うことができる。
【００４４】
また、シールドブラケット１３は、電線保護部２３の撓み空間ＦＳを閉塞する形で配される撓み規制部２７を有している。このようにすれば、シールドブラケット１３の撓み規制部２７によって電線保護部２３の撓み変形を規制することができる。これにより、電線保護部２３によって保持された小径電線ＷＡの不用意な変位が防がれるので、小径電線ＷＡを電線保護部２３に保持させる作業の容易性を担保しつつも、シールドブラケット１３に対する小径電線ＷＡの干渉を生じ難くすることができる。
【００４５】
また、電線保護部２３は、小径電線挿通スペースＷＩＳが大径電線側端子収容部１９に対して、小径電線側端子収容部１８と大径電線側端子収容部１９との並び方向と直交する方向に沿って並ぶよう配されている。このようにすれば、小径電線挿通スペースＷＩＳに通される小径電線ＷＡが大径電線側端子収容部１９に対して小径電線側端子収容部１８と大径電線側端子収容部１９との並び方向と直交する方向に沿って並ぶので、シールドブラケット１３のうち大径電線側端子収容部１９に外装される部分を、小径電線側端子収容部１８と大径電線側端子収容部１９との並び方向について小型化する上で好適となる。
【００４６】
また、大径電線側端子収容部１９には、シールドブラケット１３を保持するためのロックアーム（ロック部）２０と、ロックアーム２０の側方位置から立ち上がってロックアーム２０を保護するロック保護部２１と、が設けられており、電線保護部２３は、ロック保護部２１との間で小径電線挿通スペースＷＩＳを挟むよう配されている。このようにすれば、シールドブラケット１３は、ロックアーム２０によってコネクタハウジング１２に外装された状態に保持される。大径電線側端子収容部１９においてロックアーム２０の側方位置から立ち上がってロックアーム２０を保護するロック保護部２１と電線保護部２３との間に挟まれる小径電線挿通スペースＷＩＳに小径電線ＷＡが通されるので、小径電線ＷＡの導出をロック保護部２１によって案内することができるとともに、小径電線ＷＡがロックアーム２０に干渉するのをロック保護部２１によって防ぐことができる。
【００４７】
＜実施形態２＞
実施形態２を図９から図１３によって説明する。この実施形態２では、主に電線保護部１２３の構成を変更したものを示す。なお、上記した実施形態１と同様の構造、作用及び効果について重複する説明は省略する。
【００４８】
本実施形態に係るシールドコネクタ１１０は、図９に示すように、シールドブラケット１１３を構成する編組線取付部１１３ｂが上記した実施形態１に記載されたものよりも左右方向について拡張された横長形状とされている。これは、図１１及び図１２に示すように、小径電線側端子収容部１１８の端子収容室１１５から導出される小径電線ＷＡが途中で屈曲されることなく前後方向に沿ってほぼ真っ直ぐに引き出されるとともに、その小径電線ＷＡと編組線取付部１１３ｂとの間に介在する形で電線保護部１２３が設けられるためである。また、このシールドコネクタ１１０では、図１１に示すように、端子金具１１１が雌型をなしており、端子本体部１１１ａ内に相手コネクタの雄型の相手端子のタブ部に対して弾性接触可能な弾性接触片（図示せず）を備えている。なお、図１１では、小径電線側端子金具１１１Ａを代表して図示しているが、図示しない大径電線側端子金具も同様に雌型とされる。
【００４９】
本実施形態の電線保護部１２３は、図１０に示すように、コネクタハウジング１１２の大径電線側端子収容部１１９における後端部に設けられており、小径電線側端子収容部１１８に対して後側に間隔を空けた位置に配されている。つまり、前後方向について電線保護部１２３と小径電線側端子収容部１１８との間には、図１２及び図１３に示すように、小径電線側端子金具１１１Ａを小径電線側端子収容部１１８の端子収容室１１５内に挿入する作業を行うための作業スペースＷＳが空けられているので、当該作業を効率的に行うことができる。より詳しくは、電線保護部１２３は、図１０に示すように、大径電線側端子収容部１１９の後端部の側面における上下両端部付近からそれぞれ左右方向に沿って突出する一対の突片部２８と、一対の突片部２８における突出先端部間を架け渡す架橋部２９と、からなる。従って、電線保護部１２３は、大径電線側端子収容部１１９との間で小径電線ＷＡを全周にわたって取り囲む形で配されている。このような電線保護部１２３によって小径電線ＷＡがシールドブラケット１１３の編組線取付部１１３ｂに向けて放射方向のいずれに変位するのも規制することができる。
【００５０】
また、大径電線側端子収容部１１９の側面における後端部を除いた部分には、図１２に示すように、電線保護部１２３を構成する一対の突片部２８にそれぞれ連なる一対の補強部３０が設けられている。補強部３０は、大径電線側端子収容部１１９の側面から突片部２８に並行する形で突出し、前後方向に沿って延在するとともに、その前端部が小径電線側端子収容部１１８に連ねられている。このような補強部３０が電線保護部１２３が連ねられることで、電線保護部１２３の補強が図られている。
【００５１】
以上説明したように本実施形態によれば、電線保護部１２３は、小径電線側端子収容部１１８に対して小径電線ＷＡの導出側に間隔を空けた位置に配されて小径電線ＷＡを取り囲む形で設けられている。このようにすれば、小径電線側端子収容部１１８と電線保護部１２３との間に空けられた作業スペース（スペース）ＷＳを利用して小径電線側端子金具１１１Ａを小径電線側端子収容部１１８の端子収容室１１５に収容する作業を行うことができるので、作業性に優れる。しかも、電線保護部１２３が小径電線ＷＡを取り囲む形で設けられているので、電線保護部１２３によって小径電線ＷＡがシールドブラケット１１３に向けて放射方向のいずれに変位するのも規制することができる。
【００５２】
＜他の実施形態＞
本明細書に開示される技術は上記記述及び図面によって説明した実施形態に限定されるものではなく、例えば次のような実施形態も本明細書に開示される技術に含まれる。
（１）上記した各実施形態では、電線保護部が少なくともコネクタハウジングの後端部に配される場合を示したが、電線保護部がコネクタハウジングの後端部に配されないよう配置とされていても構わない。
（２）上記した実施形態１では、電線保護部が片持ち状をなす場合を示したが、電線保護部がシーソー状をなしていても構わない。また、電線保護部の前後方向についての長さ寸法は、図示以外にも適宜に変更可能である。
（３）上記した実施形態１では、電線保護部が大径電線側端子収容部の上面または下面から上下方向に沿って立ち上がる場合を示したが、電線保護部が大径電線側端子収容部の側面から左右方向に沿って立ち上がる構成であっても構わない。
（４）上記した実施形態１では、電線保護部における自由端部が選択的にアーム部と自由端突部とによって正面視Ｌ字型をなす場合を示したが、電線保護部の自由端部以外の部分または全域（大部分）が正面視Ｌ字型をなす構成であっても構わない。
（５）上記した実施形態１に記載したコネクタハウジングに、雌型の端子金具を収容するようにしても構わない。
（６）上記した実施形態２では、電線保護部が小径電線を全周にわたって取り囲む構成とされる場合を示したが、電線保護部が小径電線とシールドブラケットとの間において小径電線の周方向について部分的に介在する形で配される構成であっても構わない。
（７）上記した実施形態２に記載したコネクタハウジングに、雄型の端子金具を収容するようにしても構わない。
（８）上記した各実施形態以外にも、コネクタハウジングにおける端子金具の具体的な収容本数は適宜に変更可能である。例えば、小径電線側端子金具の収容本数が３本以上または１本であってもよく、また大径電線側端子金具の収容本数が３本以上または１本であってもよい。
（９）上記した各実施形態では、電線保護部によって小径電線を保護する構成を示したが、電線保護部によって大径電線を保護する構成を採ることも可能である。また、小径電線及び大径電線をそれぞれ保護するよう電線保護部を設置することも可能である。
（１０）上記した各実施形態では、電線の径（太さ）が２種類とされた場合を示したが、電線の径が３種類以上または１種類のみとされていても構わない。電線の径が１種類とされた場合であっても、特に複数の端子収容部の後端面が段差状に配される構成のコネクタハウジングを備えている場合には、シールドブラケットに対する電線の干渉が生じ易い傾向にあると考えられることから、電線保護部による電線保護を図るのが有用である。
（１１）上記した各実施形態では、「ロック部」としてロックアームを例示したが、ロックアーム以外の構造物を「ロック部」とすることも可能である。
（１２）上記した各実施形態では、防水タイプのシールドコネクタを例示したが、非防水タイプのシールドコネクタであっても構わない。
【符号の説明】
【００５３】
１０，１１０：シールドコネクタ（コネクタ）、１１，１１１：端子金具、１１Ａ，１１１Ａ：小径電線側端子金具、１１Ｂ：大径電線側端子金具、１２，１１２：コネクタハウジング、１３，１１３：シールドブラケット（シールド部材）、１５，１１５：端子収容室、１８，１１８：小径電線側端子収容部、１９，１１９：大径電線側端子収容部、２０：ロックアーム（ロック部）、２１：ロック保護部、２３，１２３：電線保護部、２７：撓み規制部、ＦＳ：撓み空間、Ｗ：電線、ＷＡ：小径電線、ＷＢ：大径電線、ＷＩＳ：小径電線挿通スペース、ＷＳ：作業スペース（スペース）
【図１】
2017220330.tif 000003
【図２】
2017220330.tif 000004
【図３】
2017220330.tif 000005
【図４】
2017220330.tif 000006
【図５】
2017220330.tif 000007
【図６】
2017220330.tif 000008
【図７】
2017220330.tif 000009
【図８】
2017220330.tif 000010
【図９】
2017220330.tif 000011
【図１０】
2017220330.tif 000012
【図１１】
2017220330.tif 000013
【図１２】
2017220330.tif 000014
【図１３】
2017220330.tif 000015